Podtech/llm-jp-corpus-v4-ja_patent huggingface dataset:
【手続補正書】
【提出日】平成25年12月27日(2013.12.27)
【手続補正１】
【補正対象書類名】特許請求の範囲
【補正対象項目名】全文
【補正方法】変更
【補正の内容】
【特許請求の範囲】
【請求項１】
電力を供給する電源部と、
前記電源部の電力供給を受ける非省電力状態において、外部装置と通信する第１の入出力制御部と、
前記電源部の電力供給を受けない省電力状態において、前記外部装置と通信する第２の入出力制御部と、
前記外部装置との通信元を前記第１の入出力制御部又は前記第２の入出力制御部のいずれかに切り替える切替部とを有し、
前記第１の入出力制御部は第１の識別情報を、前記第２の入出力制御部は第２の識別情報をそれぞれ有し、前記外部装置と接続された前記第１の入出力制御部は前記外部装置に前記第１の識別情報を送信し、前記外部装置と接続された前記第２の入出力制御部は前記外部装置に前記第２の識別情報を送信する画像形成装置。
【請求項２】
前記第２の入出力制御部は、消費電力の異なる複数の入出力制御部から構成される請求項１に記載の画像形成装置。
【請求項３】
電力を供給する電源部と、
前記電源部の電力供給を受けて、外部装置とＵＳＢ Ｈｉｇｈ Ｓｐｅｅｄ以上の通信速度で通信する第１の入出力制御部と、
前記電源部の電力供給を受けずに、前記外部装置とＵＳＢ Ｆｕｌｌ Ｓｐｅｅｄ以下の通信速度で通信する第２の入出力制御部と、
前記外部装置との通信元を前記第１の入出力制御部又は前記第２の入出力制御部のいずれかに切り替える切替部とを有し、
前記第１の入出力制御部は第１の識別情報を、前記第２の入出力制御部は第２の識別情報をそれぞれ有し、前記外部装置と接続された前記第１の入出力制御部は前記外部装置に前記第１の識別情報を送信し、前記外部装置と接続された前記第２の入出力制御部は前記外部装置に前記第２の識別情報を送信する画像形成装置。
【請求項４】
表示部を有し、第１の識別情報又は第２の識別情報を受信すると、前記表示部に前記第１の識別情報に対応した第１の入出力制御部又は前記第２の識別情報に対応した第２の入出力制御部に接続された旨を表示する外部装置と、
電源部の電力供給を受ける非省電力状態において前記外部装置と通信する前記第１の入出力制御部と、前記電源部の電力供給を受けない省電力状態において前記外部装置と通信する前記第２の入出力制御部とを有し、前記外部装置との通信元を前記第１の入出力制御部又は前記第２の入出力制御部のいずれかに切り替えるとともに、前記外部装置と接続された前記第１の入出力制御部は前記外部装置に前記第１の識別情報を送信し、前記外部装置と接続された前記第２の入出力制御部は前記外部装置に前記第２の識別情報を送信する画像形成装置とを備える画像形成システム。
【手続補正２】
【補正対象書類名】明細書
【補正対象項目名】０００６
【補正方法】変更
【補正の内容】
【０００６】
［１］電力を供給する電源部と、
前記電源部の電力供給を受ける非省電力状態において、外部装置と通信する第１の入出力制御部と、
前記電源部の電力供給を受けない省電力状態において、前記外部装置と通信する第２の入出力制御部と、
前記外部装置との通信元を前記第１の入出力制御部又は前記第２の入出力制御部のいずれかに切り替える切替部とを有し、
前記第１の入出力制御部は第１の識別情報を、前記第２の入出力制御部は第２の識別情報をそれぞれ有し、前記外部装置と接続された前記第１の入出力制御部は前記外部装置に前記第１の識別情報を送信し、前記外部装置と接続された前記第２の入出力制御部は前記外部装置に前記第２の識別情報を送信する画像形成装置。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
［２］前記第２の入出力制御部は、消費電力の異なる複数の入出力制御部から構成される請求項［１］に記載の画像形成装置。
【手続補正５】
【補正対象書類名】明細書
【補正対象項目名】０００９
【補正方法】変更
【補正の内容】
【０００９】
［３］電力を供給する電源部と、
前記電源部の電力供給を受けて、外部装置とＵＳＢ Ｈｉｇｈ Ｓｐｅｅｄ以上の通信速度で通信する第１の入出力制御部と、
前記電源部の電力供給を受けずに、前記外部装置とＵＳＢ Ｆｕｌｌ Ｓｐｅｅｄ以下の通信速度で通信する第２の入出力制御部と、
前記外部装置との通信元を前記第１の入出力制御部又は前記第２の入出力制御部のいずれかに切り替える切替部とを有し、
前記第１の入出力制御部は第１の識別情報を、前記第２の入出力制御部は第２の識別情報をそれぞれ有し、前記外部装置と接続された前記第１の入出力制御部は前記外部装置に前記第１の識別情報を送信し、前記外部装置と接続された前記第２の入出力制御部は前記外部装置に前記第２の識別情報を送信する画像形成装置。
【手続補正６】
【補正対象書類名】明細書
【補正対象項目名】００１０
【補正方法】変更
【補正の内容】
【００１０】
［４］表示部を有し、第１の識別情報又は第２の識別情報を受信すると、前記表示部に前記第１の識別情報に対応した第１の入出力制御部又は前記第２の識別情報に対応した第２の入出力制御部に接続された旨を表示する外部装置と、
電源部の電力供給を受ける非省電力状態において前記外部装置と通信する前記第１の入出力制御部と、前記電源部の電力供給を受けない省電力状態において前記外部装置と通信する前記第２の入出力制御部とを有し、前記外部装置との通信元を前記第１の入出力制御部又は前記第２の入出力制御部のいずれかに切り替えるとともに、前記外部装置と接続された前記第１の入出力制御部は前記外部装置に前記第１の識別情報を送信し、前記外部装置と接続された前記第２の入出力制御部は前記外部装置に前記第２の識別情報を送信する画像形成装置とを備える画像形成システム。
【手続補正７】
【補正対象書類名】明細書
【補正対象項目名】００１１
【補正方法】変更
【補正の内容】
【００１１】
請求項１、３又は４に係る発明によれば、接続先と通信していないときに通信ポートを省電力状態に切り替えるとともに、省電力状態において非省電力状態に復帰することなく接続先の要求に応答することができ、第１の入出力制御部及び第２の入出力制御部は、外部装置に接続された場合にそれぞれの識別情報を送信することができる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
請求項２に係る発明によれば、消費電力の異なる複数の入出力制御部を用意し、異なる消費電力においてそれぞれの入出力制御部が接続先の要求に応答することができる。
【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
モータと、
前記モータを収容するハウジングと、
前記モータに接続される動力伝達部と、
前記動力伝達部に接続される出力部と、
前記動力伝達部を収容し、前記ハウジングに接続される金属製のケースと、
前記出力部周辺を照射可能なライトと、
前記ライトを保持し前記ケースの少なくとも一部を覆うカバーと、を有することを特徴とする電動工具。
【請求項２】
前記ライトは、前記ハウジングと前記カバーとによって挟持されていることを特徴とする請求項１に記載の電動工具。
【請求項３】
前記ライトは前記ハウジングと離間しており、前記カバーは前記ハウジングと接触していることを特徴とする請求項１に記載の電動工具。
【請求項４】
前記カバーの一部が前記ライトと前記ケースとの間に介在していることを特徴とする請求項１に記載の電動工具。
【請求項５】
前記カバーは樹脂製であることを特徴とする請求項１から４のいずれか１項に記載の電動工具。
【請求項６】
モータと、
前記モータを収容する胴体部と、
前記モータに接続される動力伝達部と、
前記動力伝達部に接続される出力部と、
前記動力伝達部を収容し、前記胴体部の前部に接続される金属製のケースと、
前記出力部周辺を照射可能なライトと、
前記ライトを保持し、前記ケースの少なくとも一部を覆うカバーと、を有することを特徴とする電動工具。
【請求項７】
前記ライトは、前記ケースと離間していることを特徴とする請求項６に記載の電動工具。
【請求項８】
モータと、
前記モータを収容するハウジングと、
前記モータに接続される動力伝達部と、
前記動力伝達部に接続される出力部と、
前記動力伝達部を収容し、前記ハウジングに接続される金属製のケースと、
前記出力部周辺を照射可能なライトと、
前記ライトを収容し前記ケースの少なくとも一部を覆うカバーと、を有することを特徴とする電動工具。
【手続補正２】
【補正対象書類名】明細書
【補正対象項目名】０００７
【補正方法】変更
【補正の内容】
【０００７】
上記目的を達成するために、本発明は、モータと、前記モータを収容するハウジングと、前記モータに接続される動力伝達部と、前記動力伝達部に接続される出力部と、前記動力伝達部を収容し、前記ハウジングに接続される金属製のケースと、前記出力部周辺を照射可能なライトと、前記ライトを保持し前記ケースの少なくとも一部を覆うカバーと、を有することを特徴とする電動工具を提供している。
【手続補正３】
【補正対象書類名】明細書
【補正対象項目名】００１７
【補正方法】変更
【補正の内容】
【００１７】
本発明の別の観点では、モータと、前記モータを収容する胴体部と、前記モータに接続される動力伝達部と、前記動力伝達部に接続される出力部と、前記動力伝達部を収容し、前記胴体部の前部に接続される金属製のケースと、前記出力部周辺を照射可能なライトと、前記ライトを保持し、前記ケースの少なくとも一部を覆うカバーと、を有することを特徴とする電動工具を提供している。
【手続補正４】
【補正対象書類名】明細書
【補正対象項目名】００１８
【補正方法】変更
【補正の内容】
【００１８】
さらに、前記ライトは、前記ケースと離間していることが好ましい。また、本発明の別の観点では、モータと、前記モータを収容するハウジングと、前記モータに接続される動力伝達部と、前記動力伝達部に接続される出力部と、前記動力伝達部を収容し、前記ハウジングに接続される金属製のケースと、前記出力部周辺を照射可能なライトと、前記ライトを収容し前記ケースの少なくとも一部を覆うカバーと、を有することを特徴とする電動工具を提供している。
【手続補正書】
【提出日】平成25年12月19日(2013.12.19)
【手続補正１】
【補正対象書類名】特許請求の範囲
【補正対象項目名】全文
【補正方法】変更
【補正の内容】
【特許請求の範囲】
【請求項１】
内視鏡挿入部の先端に設けられた光学系と撮像素子により被検体を撮像する撮像部により撮像された撮像信号に基づいて画像データを生成する画像生成手段と、
前記画像生成手段により生成された前記画像データと前記撮像部の３軸加速度を計測する加速度計測手段により計測された加速度データとをともに連続して記憶媒体に記録することによって動画ファイルを生成する動画ファイル生成手段と、
前記記憶媒体に記録された前記動画ファイルから画像データと加速度データを読み出す読み出し手段と、
動画のある時点における前記撮像部の位置と方向を加速度データに基づいて算出する算出手段と、
算出された動画のある時点における前記撮像部の位置と方向を該時点の画像データと関連付ける関連付け手段と、
前記算出手段が算出する前記撮像部の位置に基づいて動画のある範囲での挿入経路を算出する挿入経路算出手段と、
を有することを特徴とする内視鏡画像再生装置。
【請求項２】
前記挿入経路と該挿入経路上での前記撮像部の方向とを表す挿入経路図を生成する挿入経路図生成手段と、
前記挿入経路図を表示する第１の表示制御手段と、
を有することを特徴とする請求項１に記載の内視鏡画像再生装置。
【請求項３】
動画または動画中の画像データを再生する画像再生手段と、
画像再生時に再生された画像データに対応して、該画像データが撮影された時点での前記撮像部の位置と方向を前記関連付け手段により取得して、画像データおよび挿入経路図をともに表示する第２の表示制御手段と、
を有することを特徴とする請求項２に記載の内視鏡画像再生装置。
【請求項４】
前記挿入経路上のある位置を指定する位置指定手段と、
該位置と関連付けられた画像データを表示する第３の表示制御手段と、
を有することを特徴とする請求項２に記載の内視鏡画像再生装置。
【請求項５】
前記挿入経路図生成手段により生成された挿入経路と被検体の形状を示す設計図をともに表示する第４の表示制御手段、
を有することを特徴とする請求項２に記載の内視鏡画像再生装置。
【請求項６】
前記第１の表示制御手段は、前記撮像部の位置と前記撮像部の方向とをそれぞれ異なる形式で表示することを特徴とする請求項２に記載の内視鏡再生装置。
【請求項７】
前記第１の表示制御手段は、３次元座標上で表した前記撮像部の位置と前記撮像部の方向とを表示することを特徴とする請求項２に記載の内視鏡装置。
【手続補正書】
【提出日】平成25年12月27日(2013.12.27)
【手続補正１】
【補正対象書類名】特許請求の範囲
【補正対象項目名】全文
【補正方法】変更
【補正の内容】
【特許請求の範囲】
【請求項１】
図柄等の識別情報を表示する表示手段と、遊技の制御を行う主制御手段と、その主制御手段から送信される制御用コマンドに基づいて前記表示手段に識別情報の動的表示を行わせる従制御手段と、を備え、
前記識別情報の動的表示において予め定めた表示結果を現出させた場合に所定の遊技価値である特別遊技状態を付与する遊技機において、
前記従制御手段は、
前記制御用コマンドを受信した場合に、前記識別情報の動的表示において実行する複数種類の表示態様の中から前記表示手段で行わせる前記識別情報の動的表示の表示態様を選択する選択手段を備え、
前記表示態様には、一の識別情報の動的表示の中で擬似的な動的表示を所定回数行う表示態様であって、その所定回数が異なる複数の表示態様を含み、
前記選択手段は、前記擬似的な動的表示が行われる表示態様の中で前記擬似的な動的表示を特定回数行う表示態様が、前記予め定めた表示結果が現出する可能性があることを示唆する示唆表示が行われた場合に前記予め定めた表示結果が現出する期待度が最も高くなるように、前記識別情報の動的表示の表示態様を選択するものであり、且つ、前記示唆表示を行わず前記予め定めた表示結果とは異なる表示結果を現出させる場合に前記擬似的な動的表示が行われる表示態様を選択する場合は、前記擬似的な動的表示を前記特定回数行う表示態様を選択することを特徴とする遊技機。
【請求項２】
前記選択手段は、前記識別情報の動的表示において前記予め定めた表示結果を現出させる場合に、前記識別情報の動的表示を行う表示態様の一つとして、前記擬似的な動的表示を特定回数行った後、一旦、前記予め定めた表示結果とは異なる表示結果を擬似的に現出させ、その後、再び識別情報の動的表示を行って前記予め定めた表示結果を現出させる表示態様を選択することを特徴とする請求項１記載の遊技機。
【手続補正２】
【補正対象書類名】明細書
【補正対象項目名】００１０
【補正方法】削除
【補正の内容】
【手続補正３】
【補正対象書類名】明細書
【補正対象項目名】００１３
【補正方法】削除
【補正の内容】
【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
膣内へ挿入して用いられる子宮挿入補助具であって、
筒状をなす本体と、
前記本体を前記膣内へ挿入した状態において、前記本体の先端部を子宮口に対して位置
決めする第１固定手段とを有し、
前記第１固定手段は、前記本体の先端部に設けられ、線状または帯状をなす複数の第１
固定部と、各前記第１固定部が前記本体から突出した状態と前記本体内へ退避した状態と
を切り替える第１切替手段とを有し、
前記本体を、各前記第１固定部が前記本体内へ退避した状態で前記膣内へ挿入し、前記
第１切替手段によって各前記第１固定部を前記本体から突出させることにより、各前記第
１固定部を子宮口周辺に接触させ、前記本体の先端部を前記子宮口に対して位置決めする
ことを特徴とする子宮挿入補助具。
【請求項２】
各前記第１固定部は、自然状態にて前記本体から突出するよう構成されている請求項１
に記載の子宮挿入補助具。
【請求項３】
各前記第１固定部は、湾曲した状態で形状付けされた弾性を有する部材で構成されてい
る請求項２に記載の子宮挿入補助具。
【請求項４】
前記第１切替手段は、前記本体に設けられ、前記本体に対して摺動可能な第１接続部材
を有し、各前記第１固定部は、その一端部が前記本体に接続されるとともに他端部が前記
第１接続部材に接続されており、
各前記第１固定部が前記本体から突出した状態から、前記第１接続部材を前記本体に対
して摺動させ、各前記第１固定部に引っ張り応力を加えることにより、各前記第１固定部
が前記本体内へ退避した状態とするよう構成されている請求項２または３に記載の子宮挿
入補助具。
【請求項５】
前記第１切替手段は、前記本体に設けられ、前記本体に対して摺動可能な第１接続部材
を有し、各前記第１固定部は、その一端部が前記本体に接続されるとともに他端部が前記
第１接続部材に接続されており、
前記第１接続部材を前記本体に対して前記第１固定部の両端が接近する方向に摺動させ
ると各前記第１固定部が湾曲変形して前記本体から突出し、前記第１接続部材を前記本体
に対して前記第１固定部の両端が離間する方向に摺動させると各前記第１固定部が前記本
体内へ退避するよう構成されている請求項１に記載の子宮挿入補助具。
【請求項６】
前記第１接続部材は、前記第１固定部の両端が接近する方向に付勢されている請求項５
に記載の子宮挿入補助具。
【請求項７】
前記第１切替手段は、各前記第１固定部が前記本体内へ退避した状態を維持・解除する
する第１スイッチを有している請求項１ないし６のいずれかに記載の子宮挿入補助具。
【請求項８】
前記第１スイッチは、前記本体の基端側に設けられている請求項７に記載の子宮挿入補
助具。
【請求項９】
前記本体を前記膣内へ挿入した状態において、前記本体を膣に対して固定する第２固定
手段を有し、
前記第２固定手段は、前記本体の前記第１固定部よりも基端側に設けられ、線状または
帯状をなす複数の第２固定部と、各前記第２固定部が前記本体から突出した状態と前記本
体内へ退避した状態とを切り替える第２切替手段とを有し、
前記本体を、各前記第２固定部が前記本体内へ退避した状態で前記膣内へ挿入し、前記
第２切替手段によって各前記第２固定部を前記本体から突出させることにより、各前記第
２固定部を膣壁に接触させ、前記本体を膣に固定するよう構成されている請求項１ないし
８のいずれかに記載の子宮挿入補助具。
【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
少なくとも１つのライトガイド用ルーメンを有し、生体の管腔内に挿入される長尺状の
内視鏡本体と、
前記内視鏡本体の先端部に設置され、観察部位を撮像する撮像部と、
前記ライトガイド用ルーメンに挿入され、観察部位を照らす光を導光し、該光を先端部
から出射する少なくとも１つのライトガイドとを備え、
前記ライトガイドは、前記ライトガイド用ルーメンに前記内視鏡本体の軸方向に移動可
能で、該ライトガイドの中心軸を中心に回動可能に挿入され、
前記内視鏡本体は、前記内視鏡本体の先端部に開口し、前記ライトガイド用ルーメンの
先端部に連通する孔部を有し、
前記ライトガイドを前記内視鏡本体の軸方向に移動させることにより、前記ライトガイ
ドの先端部が、前記孔部から突出し、前記撮像部よりも先端側に配置された状態と、前記
内視鏡本体内に収納された状態とを採り得るよう構成されていることを特徴とする内視鏡
。
【請求項２】
前記内視鏡本体の基端側に設けられ、前記ライトガイドを操作する操作手段を有する請
求項１に記載の内視鏡。
【請求項３】
前記操作手段は、本体部と、
前記本体部に対して前記内視鏡本体の軸方向に移動可能に設置された基台と、前記ライ
トガイドが連結され、前記基台に対して前記ライトガイドの中心軸を中心に回動可能に設
置された回動操作部材とを有する移動部とを備える請求項２に記載の内視鏡。
【請求項４】
前記回動操作部材は、前記基台に着脱自在に設置される請求項３に記載の内視鏡。
【請求項５】
前記ライトガイドは、前記回動操作部材に着脱自在に連結される請求項３または４に記
載の内視鏡。
【請求項６】
前記ライトガイド用ルーメンの先端部は、前記内視鏡本体の中心軸に対して傾斜してい
る請求項１ないし５のいずれかに記載の内視鏡。
【請求項７】
前記内視鏡本体の軸方向から見たとき、前記ライトガイド用ルーメンは、前記撮像部よ
りも内側に位置している請求項１ないし６のいずれかに記載の内視鏡。
【請求項８】
前記内視鏡本体の軸方向から見たとき、前記内視鏡本体の少なくとも先端部は、前記撮
像部より外側に突出していない請求項１ないし７のいずれかに記載の内視鏡。
【請求項９】
前記撮像部は、前記内視鏡本体の先端に設置され、
前記孔部は、前記内視鏡本体の前記撮像部よりも基端側の側面に形成されている請求項
１ないし８のいずれかに記載の内視鏡。
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
遊技者により遊技が行なわれる遊技機と、該遊技機と通信可能に接続され、記録媒体を受付けて該記録媒体に記録されている記録情報により特定される遊技者所有の有価価値を用いて該遊技機での遊技を可能にする遊技用装置とを備える遊技用システムであって、
前記遊技用装置は、
前記遊技機の動作確認を行なうテストモードへの移行を検知するテストモード検知手段と、
該テストモード検知手段が前記テストモードへの移行を検知したことを前記遊技機へ通知するテストモード通知手段とを含み、
前記遊技機は、
前記テストモード通知手段による通知を受けていない通常遊技中に遊技者が遊技を行なうことにより生成される遊技履歴データを更新する通常遊技中データ更新手段を含み、
前記遊技機は、前記テストモード通知手段による通知を受けたことに基づいて、前記通常遊技中データ更新手段による遊技履歴データの更新をさせない状態にする、遊技用システム。
【請求項２】
遊技者により遊技が行なわれる遊技機と通信可能に接続され、記録媒体を受付けて該記録媒体に記録されている記録情報により特定される遊技者所有の有価価値を用いて該遊技機での遊技を可能にする遊技用装置であって、
前記遊技機の動作確認を行なうテストモードへの移行を検知するテストモード検知手段と、
該テストモード検知手段が前記テストモードへの移行を検知したことを前記遊技機へ通知するテストモード通知手段とを含み、
前記テストモード通知手段による通知を受けていない通常遊技中に遊技者が遊技を行なうことにより生成される遊技履歴データが前記遊技機の通常遊技中データ更新手段により更新され、前記遊技機が前記テストモード通知手段による通知を受けたことに基づいて、前記通常遊技中データ更新手段による遊技履歴データの更新がされない状態となる、遊技用装置。
【手続補正２】
【補正対象書類名】明細書
【補正対象項目名】発明の名称
【補正方法】変更
【補正の内容】
【発明の名称】遊技用システムおよび遊技用装置
【手続補正３】
【補正対象書類名】明細書
【補正対象項目名】０００１
【補正方法】変更
【補正の内容】
【０００１】
本発明は、遊技者により遊技が行なわれる遊技機と、該遊技機と通信可能に接続され、記録媒体を受付けて該記録媒体に記録されている記録情報により特定される遊技者所有の有価価値を用いて該遊技機での遊技を可能にする遊技用装置とを備える遊技用システム、および遊技用装置に関する。
【手続補正４】
【補正対象書類名】明細書
【補正対象項目名】００２６
【補正方法】変更
【補正の内容】
【００２６】
このような構成によれば、テストモード中において持点が所定値となったときに遊技機に対して持点を所定値を超える値にするための指令が送信されるために、テストモード中において持点が所定値となった後においても遊技履歴データを集計するための指令を出力する機能を有する遊技用装置を提供することができる。
（８）  本発明の他の態様は、遊技者により遊技が行なわれる遊技機と通信可能に接続され、記録媒体を受付けて該記録媒体に記録されている記録情報により特定される遊技者所有の有価価値を用いて該遊技機での遊技を可能にする遊技用装置であって、
前記遊技機の動作確認を行なうテストモードへの移行を検知するテストモード検知手段と、
該テストモード検知手段が前記テストモードへの移行を検知したことを前記遊技機へ通知するテストモード通知手段とを含み、
前記テストモード通知手段による通知を受けていない通常遊技中に遊技者が遊技を行なうことにより生成される遊技履歴データが前記遊技機の通常遊技中データ更新手段により更新され、前記遊技機が前記テストモード通知手段による通知を受けたことに基づいて、前記通常遊技中データ更新手段による遊技履歴データの更新がされない状態となる。
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
持点による遊技が可能であり、遊技者所有の遊技用価値を用いて持点を加算する遊技用装置と通信する通信部を備え、入賞の発生に応じて持点が加算される遊技機であって、
遊技への使用および入賞の発生に応じた持点の変化量を特定する特定手段と、
持点を記憶する持点記憶手段と、
前記持点記憶手段が記憶している持点を前記変化量に応じて更新する持点更新手段と、
前記変化量を特定可能な更新情報と前記持点記憶手段に記憶されている持点とを前記通信部から前記遊技用装置へ送信する制御を行なう情報送信制御手段と、
遊技を行なう遊技者を特定する遊技者特定情報を記憶する遊技者特定情報記憶手段と、
前記遊技機と前記遊技用装置との接続後遊技を行なう遊技者と該接続前に遊技を行なっていた遊技者との同一性を判定するための情報として、前記遊技用装置との通信の開始の際に前記遊技者特定情報記憶手段に記憶されている遊技者特定情報を前記通信部から前記遊技用装置へ送信する制御を行なう遊技者特定情報送信制御手段とを備えた、遊技機。
【請求項２】
持点による遊技が可能であり、遊技者所有の遊技用価値を用いて持点を加算する遊技用装置と通信する通信部を備え、入賞の発生に応じて持点が加算される遊技機の遊技枠であって、
遊技への使用および入賞の発生に応じた持点の変化量を特定する特定手段と、
持点を記憶する持点記憶手段と、
前記持点記憶手段が記憶している持点を前記変化量に応じて更新する持点更新手段と、
前記変化量を特定可能な更新情報と前記持点記憶手段に記憶されている持点とを前記通信部から前記遊技用装置へ送信する制御を行なう情報送信制御手段と、
遊技を行なう遊技者を特定する遊技者特定情報を記憶する遊技者特定情報記憶手段と、
前記遊技機と前記遊技用装置との接続後遊技を行なう遊技者と該接続前に遊技を行なっていた遊技者との同一性を判定するための情報として、前記遊技用装置との通信の開始の際に前記遊技者特定情報記憶手段に記憶されている遊技者特定情報を前記通信部から前記遊技用装置へ送信する制御を行なう遊技者特定情報送信制御手段とを備えた、遊技枠。
【手続補正２】
【補正対象書類名】明細書
【補正対象項目名】発明の名称
【補正方法】変更
【補正の内容】
【発明の名称】遊技機および遊技枠
【手続補正３】
【補正対象書類名】明細書
【補正対象項目名】０００１
【補正方法】変更
【補正の内容】
【０００１】
本発明は、持点による遊技が可能であり、遊技者所有の遊技用価値を用いて持点を加算する遊技用装置と通信する通信部を備え、入賞の発生に応じて持点が加算される遊技機、および当該遊技機の遊技枠に関する。
【手続補正４】
【補正対象書類名】明細書
【補正対象項目名】０００９
【補正方法】変更
【補正の内容】
【０００９】
このような構成によれば、不正行為、その他の原因によって遊技機側で記憶している持点の大きさに異常が生じることによって遊技用装置側で記憶している持点と遊技機側で記憶している持点とが整合しなくなった場合でも、遊技機側で記憶している持点を遊技用装置側で記憶している持点に補正可能となる。
（３）  本発明の他の態様は、持点による遊技が可能であり、遊技者所有の遊技用価値を用いて持点を加算する遊技用装置と通信する通信部を備え、入賞の発生に応じて持点が加算される遊技機の遊技枠であって、
遊技への使用および入賞の発生に応じた持点の変化量を特定する特定手段と、
持点を記憶する持点記憶手段と、
前記持点記憶手段が記憶している持点を前記変化量に応じて更新する持点更新手段と、
前記変化量を特定可能な更新情報と前記持点記憶手段に記憶されている持点とを前記通信部から前記遊技用装置へ送信する制御を行なう情報送信制御手段と、
遊技を行なう遊技者を特定する遊技者特定情報を記憶する遊技者特定情報記憶手段と、
前記遊技機と前記遊技用装置との接続後遊技を行なう遊技者と該接続前に遊技を行なっていた遊技者との同一性を判定するための情報として、前記遊技用装置との通信の開始の際に前記遊技者特定情報記憶手段に記憶されている遊技者特定情報を前記通信部から前記遊技用装置へ送信する制御を行なう遊技者特定情報送信制御手段とを備える。
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
記録媒体を受付けて該記録媒体に記録されている記録情報により特定される遊技者所有の有価価値を遊技に使用可能にする遊技用装置と通信する通信部を備えた遊技機であって、
遊技機の動作確認を行なうテストモードの通知を前記遊技用装置から受けていない通常遊技中に遊技者が遊技を行なうことにより生成される遊技履歴データを更新する通常遊技中データ更新手段を含み、
前記テストモードの通知を前記遊技用装置から受けたことに基づいて、前記通常遊技中データ更新手段による遊技履歴データの更新をさせない状態にする、遊技機。
【請求項２】
記録媒体を受付けて該記録媒体に記録されている記録情報により特定される遊技者所有の有価価値を遊技に使用可能にする遊技用装置と通信する通信部を備えた遊技機の遊技枠であって、
遊技機の動作確認を行なうテストモードの通知を前記遊技用装置から受けていない通常遊技中に遊技者が遊技を行なうことにより生成される遊技履歴データを更新する通常遊技中データ更新手段を含み、
前記テストモードの通知を前記遊技用装置から受けたことに基づいて、前記通常遊技中データ更新手段による遊技履歴データの更新をさせない状態にする、遊技枠。
【手続補正２】
【補正対象書類名】明細書
【補正対象項目名】発明の名称
【補正方法】変更
【補正の内容】
【発明の名称】遊技機および遊技枠
【手続補正３】
【補正対象書類名】明細書
【補正対象項目名】０００１
【補正方法】変更
【補正の内容】
【０００１】
本発明は、記録媒体を受付けて該記録媒体に記録されている記録情報により特定される遊技者所有の有価価値を遊技に使用可能にする遊技用装置と通信する通信部を備えた遊技機、および当該遊技機の遊技枠に関する。
【手続補正４】
【補正対象書類名】明細書
【補正対象項目名】００２６
【補正方法】変更
【補正の内容】
【００２６】
このような構成によれば、テストモード中において持点が所定値となったときに遊技機に対して持点を所定値を超える値にするための指令を遊技用装置から受信したことに基づいて、持点が所定値以下にならないように更新されるために、テストモード中において持点が所定値となった後においても遊技履歴データを集計するための指令を出力する機能を有する遊技用装置を提供することができる。
（８）  本発明の他の態様は、記録媒体を受付けて該記録媒体に記録されている記録情報により特定される遊技者所有の有価価値を遊技に使用可能にする遊技用装置と通信する通信部を備えた遊技機の遊技枠であって、
遊技機の動作確認を行なうテストモードの通知を前記遊技用装置から受けていない通常遊技中に遊技者が遊技を行なうことにより生成される遊技履歴データを更新する通常遊技中データ更新手段を含み、
前記テストモードの通知を前記遊技用装置から受けたことに基づいて、前記通常遊技中データ更新手段による遊技履歴データの更新をさせない状態にする。
【手続補正書】
【提出日】平成26年1月21日(2014.1.21)
【手続補正１】
【補正対象書類名】特許請求の範囲
【補正対象項目名】全文
【補正方法】変更
【補正の内容】
【特許請求の範囲】
【請求項１】
個体識別情報を記憶した遊技機用演算処理装置を有する制御装置を備えた遊技機において、
前記遊技機用演算処理装置は、ユーザプログラムを記憶するとともに、該ユーザプログラムに係る固有情報をユーザプログラムでアクセス不可能なアクセス禁止領域に記憶する記憶手段を有し、
前記個体識別情報は、第１個体識別情報と、前記第１個体識別情報と異なる第２個体識別情報からなり、
前記第１個体識別情報は、ユーザプログラムを介して読み取りが可能に構成される一方で、前記第２個体識別情報は、ユーザプログラムを介して読み取りが不可能に構成され、
さらに、前記第１個体識別情報は、ユーザプログラムを介して外部情報端子から、遊技機外の外部装置側へ出力可能に構成される一方で、前記第２個体識別情報及び前記固有情報は、前記外部情報端子と異なる所定の検査端子から出力可能に構成されていることを特徴とする遊技機。
【手続補正２】
【補正対象書類名】明細書
【補正対象項目名】０００４
【補正方法】変更
【補正の内容】
【０００４】
しかしながら、ガラス枠等が開放されたことを示す信号を出力しているだけでは、遊技機に対して不正された可能性があることを報知することはできるが、遊技機用演算処理装置を有する制御装置に対する不正の可能性が高いことを外部に報知可能なものとはなっていなかった。
【手続補正３】
【補正対象書類名】明細書
【補正対象項目名】０００５
【補正方法】変更
【補正の内容】
【０００５】
そこで本発明は、上記問題点に鑑みなされたもので、遊技機用演算処理装置を有する制御装置に対する不正の可能性が高いことを外部に報知可能な遊技機を提供することを目的とする。
【手続補正４】
【補正対象書類名】明細書
【補正対象項目名】０００６
【補正方法】変更
【補正の内容】
【０００６】
請求項１に記載の遊技機は、個体識別情報を記憶した遊技機用演算処理装置を有する制御装置を備えた遊技機において、
前記遊技機用演算処理装置は、ユーザプログラムを記憶するとともに、該ユーザプログラムに係る固有情報をユーザプログラムでアクセス不可能なアクセス禁止領域に記憶する記憶手段を有し、
前記個体識別情報は、第１個体識別情報と、前記第１個体識別情報と異なる第２個体識別情報からなり、
前記第１個体識別情報は、ユーザプログラムを介して読み取りが可能に構成される一方で、前記第２個体識別情報は、ユーザプログラムを介して読み取りが不可能に構成され、
さらに、前記第１個体識別情報は、ユーザプログラムを介して外部情報端子から、遊技機外の外部装置側へ出力可能に構成される一方で、前記第２個体識別情報及び前記固有情報は、前記外部情報端子と異なる所定の検査端子から出力可能に構成されていることを特徴とする。
【手続補正５】
【補正対象書類名】明細書
【補正対象項目名】０００７
【補正方法】変更
【補正の内容】
【０００７】
本発明によれば、当該遊技機用演算処理装置を有する制御装置に対する不正の可能性が高いことを外部に報知可能となる。
【手続補正６】
【補正対象書類名】明細書
【補正対象項目名】０３４２
【補正方法】変更
【補正の内容】
【０３４２】
次に、上記の各実施例を踏まえた上で、以下、各実施例から抽出される発明概念について順次、まとめて説明する。
＜実施例１等における各制御装置の固有情報出力機能に着目した発明概念Ｔ１＞
実施例１等における各制御装置単独（遊技制御装置又は払出制御装置）の固有情報出力機能に着目した構成の発明概念Ｔ１は、下記のように示される。
個体識別情報を記憶した遊技機用演算処理装置を有する制御装置を備えた遊技機において、
前記遊技機用演算処理装置は、
当該遊技機用演算処理装置が検出可能な遊技機状態を遊技機外の外部装置側へ報知するために遊技機状態信号を出力制御する遊技機状態信号出力制御手段を有し、
前記遊技機状態信号出力制御手段は、
前記遊技機状態信号に対応させて前記個体識別情報を遊技機外の外部装置側へ出力する制御を行う不正可能性報知出力制御手段を有することを特徴とする遊技機。
なお、「遊技機用演算処理装置」は、遊技制御装置の演算処理装置であってもよいし、遊技制御装置以外の制御装置（例えば、払出制御装置）の演算処理装置であってもよい。
また、「外部装置」とは、遊技場に設けられる遊技機からの大当り信号等の遊技機状態信号を収集する管理装置、またはこの管理装置のノードである通信装置を含む他、例えば遊技機に併設される遊技媒体貸出装置としてのカードユニット（ＣＲユニット：カード式球貸制御ユニット）を含めてもよい。なお、カードユニットを含めても良いというのは、前記の管理装置のノードである通信装置を含むと同様であり、カードユニットは、球貸情報を収集する球貸情報収集装置のノードであり、それを利用して個体識別情報を収集してもよいということである。要は、遊技機の外部であって、遊技店側が個体識別情報をチェック可能な装置であればよい。
また、「外部装置側へ」とは、直接的に外部装置へ出力する態様に加えて、外部装置と遊技機用演算処理装置の間に介在する装置等に向けて出力する態様も含むことを意味する。
【手続補正書】
【提出日】平成25年12月19日(2013.12.19)
【手続補正１】
【補正対象書類名】特許請求の範囲
【補正対象項目名】全文
【補正方法】変更
【補正の内容】
【特許請求の範囲】
【請求項１】
被検体に挿入される挿入部の挿入方向先端側に湾曲部が設けられた内視鏡であって、
前記挿入部の外周において、前記湾曲部よりも前記挿入方向の後方に固定された被押圧部材と、
前記被押圧部材よりも前記挿入方向の後方に位置するとともに前記挿入部に対して前記挿入方向の前方及び前記挿入方向の後方に進退移動自在な、前記被押圧部材に当接自在な押圧部材と、
前記押圧部材に固定された、前記押圧部材を進退移動させるとともに前記押圧部材を前記挿入方向の前方に移動させて前記被押圧部材に当接させて押圧する押し込み部材と、
を具備していることを特徴とする内視鏡。
【請求項２】
前記被押圧部材は、前記挿入部の外周に対して着脱自在であることを特徴とする請求項１に記載の内視鏡。
【請求項３】
前記被押圧部材は、前記挿入部の前記挿入方向の前方から前記挿入部の外周に対して着脱自在か、前記挿入部の径方向外側から前記挿入部の外周に対して着脱自在かのいずれかであることを特徴とする請求項２に記載の内視鏡。
【請求項４】
前記挿入部の外周に、前記管路の中心に前記挿入部を位置させる複数のセンタリング部材と、該複数のセンタリング部材間を前記挿入方向に沿って連結する連結コイル部材とが、それぞれ着脱自在に設けられており、
前記被押圧部材は、前記複数のセンタリング部材の内、前記挿入方向において最も後方に位置する前記センタリング部材であり、該センタリング部材に前記押圧部材が当接されることを特徴とする請求項１〜３のいずれか１項に記載の内視鏡。
【請求項５】
前記複数のセンタリング部材は、径方向に拡径する大きさが可変自在な部材から構成されていることを特徴とする請求項４に記載の内視鏡。
【請求項６】
前記複数のセンタリング部材の内、前記挿入方向において最も前方に位置する前記センタリング部材に先端に、前記挿入部の外周に被覆されるとともに前記連結コイル部材よりも柔らかい前コイル部材の基端が着脱自在に固定されており、
前記前コイル部材の先端は、前記挿入部の外周において、前記湾曲部よりも前記挿入方向の後方に着脱自在に固定されていることを特徴とする請求項４に記載の内視鏡。
【請求項７】
前記押圧部材は、前記挿入部の外周に対して前記挿入方向の前方から着脱自在であるとともに前記挿入部の外周を被覆する口金部材から構成されており、
前記口金部材が前記被押圧部材に当接することを特徴とする請求項１〜６のいずれか１項に記載の内視鏡。
【請求項８】
前記押圧部材は、
前記挿入部の外周に対して前記挿入方向の前方から着脱自在であるとともに前記挿入部の外周を被覆する口金部材と、
前記挿入部に外周に被覆されるとともに前記口金部材の先端に固定された、前記連結コイル部材よりも硬い後コイル部材と、
を具備し、
前記後コイル部材が前記被押圧部材に当接することを特徴とする請求項１〜６のいずれか１項に記載の内視鏡。
【請求項９】
前記押圧部材は、前記押し込み部材の外周に固定された太径部材であることを特徴とする請求項１〜６のいずれか１項に記載の内視鏡。
【請求項１０】
前記挿入部の外周に対して、前記挿入部の径方向外側から前記挿入部の外周に対して着脱自在な前記挿入部の外周を被覆する複数のクリップ部材を具備し、
前記押圧部材は、前記複数のクリップ部材内、前記挿入方向において最も前方に位置するクリップ部材であり、該クリップ部材が前記被押圧部材に当接することを特徴とする請求項１〜６のいずれか１項に記載の内視鏡。
【請求項１１】
前記挿入部の径方向外側から前記挿入部の外周に対して着脱自在なことにより前記挿入部の外周に被覆された、前記管路の中心に前記挿入部を位置させる複数のセンタリング部材を具備し、
前記押圧部材は、前記複数のセンタリング部材の内、前記挿入方向において最も前方に位置する前記センタリング部材であり、該センタリング部材が前記被押圧部材に当接することを特徴とする請求項１〜３のいずれか１項に記載の内視鏡。
【請求項１２】
前記押し込み部材は、前記押圧部材の先端から、前記挿入部の先端よりも前記挿入方向の前方に突出しており、
前記押し込み部材の前記挿入部の先端よりも前記挿入方向の前方に突出した部位は、前記押し込み部材に対して着脱自在となっており、他の押し込み部材の部位よりも柔らかく形成されていることを特徴とする請求項９〜１１のいずれか１項に記載の内視鏡。
【請求項１３】
前記押し込み部材は、前記被押圧部材に形成された孔部を介して、前記押圧部材の先端から、前記挿入部の先端よりも前記挿入方向の前方に突出していることを特徴とする請求項１２に記載の内視鏡。
【請求項１４】
前記押し込み部材は、複数の部位が、前記挿入方向に沿って連結自在に構成されていることを特徴とする請求項１２または１３に記載の内視鏡。
【手続補正２】
【補正対象書類名】明細書
【補正対象項目名】００１４
【補正方法】変更
【補正の内容】
【００１４】
上記目的を達成するために本発明の一態様における内視鏡は、被検体に挿入される挿入部の挿入方向先端側に湾曲部が設けられた内視鏡であって、前記挿入部の外周において、前記湾曲部よりも前記挿入方向の後方に固定された被押圧部材と、前記被押圧部材よりも前記挿入方向の後方に位置するとともに前記挿入部に対して前記挿入方向の前方及び前記挿入方向の後方に進退移動自在な、前記被押圧部材に当接自在な押圧部材と、前記押圧部材に固定された、前記押圧部材を進退移動させるとともに前記押圧部材を前記挿入方向の前方に移動させて前記被押圧部材に当接させて押圧する押し込み部材と、を具備していることを特徴とする。
【手続補正書】
【提出日】平成25年12月19日(2013.12.19)
【手続補正１】
【補正対象書類名】特許請求の範囲
【補正対象項目名】全文
【補正方法】変更
【補正の内容】
【特許請求の範囲】
【請求項１】
先端側に湾曲部を備える挿入部と、前記挿入部の基端側に連設する筒状の操作部と、前記操作部の基端面から延出されるユニバーサルコードとを備える内視鏡において、
前記操作部は、
外周の予め定めた部位に該外周面より予め定めた量、落とし込んで形成された、複数のスイッチを長手軸方向に配列するためのスイッチ配置平面部を備えた、予め定めた長さ寸法に設定された第１把持部である筒状部と、
予め定めた屈曲形状の湾曲レバーの指載せ部が前記スイッチ配置平面部と同方向である第１の方向を向くように該湾曲レバーの一端が回動自在に軸支される第１面部、前記第１面部に対設する第２面部、前記筒状部の外周面の前記第１の方向に突出する、前記指載せ部が沿うように移動する曲面を有する第１曲面、および、指掛け部及び第１設置部を兼ねる、前記筒状部の外周面の前記第１の方向に対向する第２の方向に突出する球面部を含む第２曲面を備えた、前記操作部の先端よりも予め定めた距離基端側に離間して設けられた第１凸部と、
前記筒状部の外周面より突出する、前記第１面部及び前記第２面部と同様な位置関係で対向して設けられた一対の切欠平面部、前記一対の切欠平面部のそれぞれの第１方向端を結ぶ曲面を有する第１曲部、および、第２設置部であって、前記一対の切欠平面部のそれぞれの第２方向端を結ぶ曲面に予め定めた間隔で交互に配置される回転部及び転がり防止部を有する第２曲部を備えた、前記筒状部の基端に設けられた第２把持部である第２凸部と、
を具備することを特徴とする内視鏡。
【請求項２】
前記操作部の筒状部を手の平と中指と薬指と小指とで把持した第１の把持状態において、
前記第１凸部は、前記湾曲レバーの指載せ部が親指によって回動操作可能な位置で、且つ、前記第２曲面を前記中指と人指し指とで挟持可能な位置となるように配置されることを特徴とする請求項１に記載の内視鏡。
【請求項３】
前記操作部の第２凸部を、手の平、および、人指し指、中指、薬指、小指のうちの何れかの指で把持した第２の把持状態において、
前記スイッチ平面部に配列された複数のスイッチは、親指で操作可能な位置に配置されることを特徴とする請求項１に記載の内視鏡。
【請求項４】
前記操作部を机面等の一面上に横置きした載置状態において、
前記第１凸部の第２曲面の球面部が当接し、前記第２凸部の第２曲部の転がり防止部又は曲面が設置されて、前記操作部の把持部が前記一面上から離間することを特徴とする請求項１に記載の内視鏡。
【請求項５】
前記複数のスイッチは、複数の機能を有する多機能スイッチと、１つの機能を有する各種スイッチとであって、複数のスイッチは優先順位、使用頻度を考慮して配置され、優先順位、使用頻度の高いスイッチが第１凸部側に配置されることを特徴とする請求項１に記載の内視鏡。
【請求項６】
前記複数のスイッチとして、録画／撮影ボタンを２つ設ける構成において、２つの録画／撮影ボタンのうちの１つは、横置き状態に設置された前記操作部の第２凸部に手の平を載せた状態において、親指により操作可能な位置に配置されることを特徴とする請求項４又は請求項５に記載の内視鏡。
【手続補正２】
【補正対象書類名】明細書
【補正対象項目名】０００８
【補正方法】変更
【補正の内容】
【０００８】
本発明の一態様における内視鏡は、先端側に湾曲部を備える挿入部と、前記挿入部の基端側に連設する筒状の操作部と、前記操作部の基端面から延出されるユニバーサルコードとを備える内視鏡において、前記操作部は、外周の予め定めた部位に該外周面より予め定めた量、落とし込んで形成された、複数のスイッチを長手軸方向に配列するためのスイッチ配置平面部を備えた、予め定めた長さ寸法に設定された第１把持部である筒状部と、予め定めた屈曲形状の湾曲レバーの指載せ部が前記スイッチ配置平面部と同方向である第１の方向を向くように該湾曲レバーの一端が回動自在に軸支される第１面部、前記第１面部に対設する第２面部、前記筒状部の外周面の前記第１の方向に突出する、前記指載せ部が沿うように移動する曲面を有する第１曲面、および、指掛け部及び第１設置部を兼ねる、前記筒状部の外周面の前記第１の方向に対向する第２の方向に突出する球面部を含む第２曲面を備えた、前記操作部の先端よりも予め定めた距離基端側に離間して設けられた第１凸部と、前記筒状部の外周面より突出する、前記第１面部及び前記第２面部と同様な位置関係で対向して設けられた一対の切欠平面部、前記一対の切欠平面部のそれぞれの第１方向端を結ぶ曲面を有する第１曲部、および、第２設置部であって、前記一対の切欠平面部のそれぞれの第２方向端を結ぶ曲面に予め定めた間隔で交互に配置される回転部及び転がり防止部を有する第２曲部を備えた、前記筒状部の基端に設けられた第２把持部である第２凸部と、を具備している。
【手続補正書】
【提出日】平成26年1月15日(2014.1.15)
【手続補正１】
【補正対象書類名】特許請求の範囲
【補正対象項目名】全文
【補正方法】変更
【補正の内容】
【特許請求の範囲】
【請求項１】
個体識別情報を記憶した遊技機用演算処理装置を有する制御装置を備えた遊技機において、
前記遊技機用演算処理装置は、ユーザプログラムを記憶するとともに、該ユーザプログラムに係る固有情報をユーザプログラムでアクセス不可能なアクセス禁止領域に記憶する記憶手段を有し、
前記個体識別情報は、第１個体識別情報と、前記第１個体識別情報と異なる第２個体識別情報からなり、
前記第１個体識別情報及び前記固有情報は、ユーザプログラムを介して読み取りが可能に構成される一方で、前記第２個体識別情報は、ユーザプログラムを介して読み取りが不可能に構成され、
さらに、前記第１個体識別情報は、ユーザプログラムを介して外部情報端子から、遊技機外の外部装置側へ出力可能に構成される一方で、前記第１個体識別情報と前記第２個体識別情報及び前記固有情報は、前記外部情報端子と異なる所定の検査端子から出力可能に構成されていることを特徴とする遊技機。
【手続補正２】
【補正対象書類名】明細書
【補正対象項目名】０００４
【補正方法】変更
【補正の内容】
【０００４】
しかしながら、ガラス枠等が開放されたことを示す信号を出力しているだけでは、遊技機に対して不正された可能性があることを報知することはできるが、遊技機用演算処理装置を有する制御装置に対する不正の可能性が高いことを外部に報知可能なものとはなっていなかった。
【手続補正３】
【補正対象書類名】明細書
【補正対象項目名】０００５
【補正方法】変更
【補正の内容】
【０００５】
そこで本発明は、上記問題点に鑑み、遊技機用演算処理装置を有する制御装置に対する不正の可能性が高いことを外部に報知可能な遊技機を提供することを目的とする。
【手続補正４】
【補正対象書類名】明細書
【補正対象項目名】０００６
【補正方法】変更
【補正の内容】
【０００６】
請求項１に記載の遊技機は、個体識別情報を記憶した遊技用演算処理装置を有する制御装置を備えた遊技機において、
前記遊技機用演算処理装置は、ユーザプログラムを記憶するとともに、該ユーザプログラムに係る固有情報をユーザプログラムでアクセス不可能なアクセス禁止領域に記憶する記憶手段を有し、
前記個体識別情報は、第１個体識別情報と、前記第１個体識別情報と異なる第２個体識別情報からなり、
前記第１個体識別情報及び前記固有情報は、ユーザプログラムを介して読み取りが可能に構成される一方で、前記第２個体識別情報は、ユーザプログラムを介して読み取りが不可能に構成され、
さらに、前記第１個体識別情報は、ユーザプログラムを介して外部情報端子から、遊技機外の外部装置側へ出力可能に構成される一方で、前記第１個体識別情報と前記第２個体識別情報及び前記固有情報は、前記外部情報端子と異なる所定の検査端子から出力可能に構成されていることを特徴とする。
【手続補正５】
【補正対象書類名】明細書
【補正対象項目名】０００７
【補正方法】変更
【補正の内容】
【０００７】
本発明によれば、当該遊技機用演算処理装置を有する制御装置に対する不正の可能性が高いことを外部に報知可能となる。
【手続補正書】
【提出日】平成26年6月18日(2014.6.18)
【手続補正１】
【補正対象書類名】明細書
【補正対象項目名】０００４
【補正方法】変更
【補正の内容】
【０００４】
一方、オフセット輪転機とは異なる印刷方法として、インクジェット印刷機が提案されている（下記特許文献１参照）。インクジェット印刷機の印刷方式には、紙幅全体の単色の印刷ができる長さを持つ、印刷媒体進行方向に４色分並ぶインクジェットヘッド（群）の下を印刷媒体が通過するときにすべての色の印刷を一斉に行うシングルパス方式と、インクジェットヘッドが印刷媒体の上を紙幅方向に複数回往復しながらインクを吹き付けるマルチパス方式との２種類が存在する。シングルパス方式は、印刷速度の高速化を実現できるという特徴を持ち、一方、マルチパス方式は、精密な印刷を実現できるという特徴を持つ。
【手続補正２】
【補正対象書類名】明細書
【補正対象項目名】００３６
【補正方法】変更
【補正の内容】
【００３６】
プリントヘッド４−１Ｐ，４−２Ｐは、４色分のプリントヘッド群、つまり、シアンインク用プリントヘッド群と、マゼンタインク用プリントヘッド群と、イエローインク用プリントヘッド群と、ブラックインク用プリントヘッド群とが設けられている。各プリントヘッド群は、それぞれ紙幅方向に千鳥状に配置されるプリントヘッド４−１Ｐ，４−２Ｐを構成しており、紙幅全体の単色の印刷ができる長さを有している。なお、プリントヘッド群の個数は４個に限定されるものではなく、その配置も千鳥状に限定されるものではない。
【手続補正３】
【補正対象書類名】明細書
【補正対象項目名】００７４
【補正方法】変更
【補正の内容】
【００７４】
ＨＩＰ  ハイブリッドインクジェット印刷機、ＭＳ，ＭＳ−１，ＭＳ−２  印刷媒体供給部、Ｗ，Ｗ−１，Ｗ−２  連続紙、４  印刷部、４−１  第一の印刷ユニット、４−２  第二の印刷ユニット、４−１Ａ，４−１Ｂ，４−２Ａ，４−２Ｂ  プリントヘッドユニット、４−１Ｐ，４−２Ｐ  プリントヘッド、４−２ＵＶＥ  紫外線照射部、４３  搬送ローラ、４８  第一振り分けローラ、４９  第二振り分けローラ、５  制御部、５−１  ＪＯＢ管理装置、５−２  プリントヘッド制御装置、５−３  印刷ユニット選択装置、６  制御部、６−１  ＪＯＢ管理装置、６−２α，６−２β  プリントヘッド制御装置、ＡＰＤ，ＡＰＤ−１，ＡＰＤ−２  後処理部、ＰＷ，ＰＷ−１，ＰＷ−２  （印刷後の）連続紙。